【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
入力された画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
を備え、
前記出力信号作成部は、
前記処理信号と前記画像信号に応じて、ゲイン信号を出力する視覚処理部と、
前記ゲイン信号に基づいて前記画像信号を補正し出力信号として出力する補正部と、
を有する、
視覚処理装置。
【請求項２】
前記画像信号は、輝度信号および色度信号であり、
前記補正部は、前記輝度信号を前記ゲイン信号に基づいて補正し、補正された輝度信号を出力する第１補正部と、
前記色度信号を前記ゲイン信号に基づいて補正し、補正された色度信号を出力する第２補正部と、を有する、
請求項１に記載の視覚処理装置。
【請求項３】
前記画像信号は、３つの原色信号であり、
前記補正部は、
前記３つの原色信号おのおのについて、前記ゲイン信号に基づいて補正し、補正された３つの原色信号を出力する、
請求項１に記載の視覚処理装置。
【請求項４】
設定された制限値で前記ゲイン信号を制限し、修正ゲイン信号として出力するゲイン制限部をさらに有し、
前記補正部は、
前記修正ゲイン信号に基づいて前記画像信号を補正する、
請求項１から３いずれか１項に記載の視覚処理装置。
【請求項５】
設定された補正値に応じて、前記ゲイン信号を１に近づけるように補正し、修正ゲイン信号として出力するゲイン補正部をさらに有し、
前記補正部は、
前記修正ゲイン信号に基づいて前記画像信号を補正する、
請求項１から３いずれか１項に記載の視覚処理装置。
【請求項６】
前記制限値は、
前記画像信号の３つの原色信号のうち、最大の値に基づくことを特徴とする、
請求項４に記載の視覚処理装置。
【請求項７】
前記補正値は、
前記画像信号の３つの原色信号のうち、最大の値に基づくことを特徴とする、
請求項５に記載の視覚処理装置。
【請求項８】
前記制限値は、
１フレーム内または１フィールド内の前記画像信号から検出した平均信号レベル、
前記画像信号から検出した肌色らしさ度、
通信または放送された前記画像信号に付与された番組情報、
通信または放送された前記画像信号を受信した際の電界強度値、の少なくともいずれかに基づくことを特徴とする、
請求項４に記載の視覚処理装置。
【請求項９】
前記補正値は、
１フレーム内または１フィールド内の前記画像信号から検出した平均信号レベル、
前記画像信号から検出した肌色らしさ度、
通信または放送された前記画像信号に付与された番組情報、
通信または放送された前記画像信号を受信した際の電界強度値、の少なくともいずれかに基づくことを特徴とする、
請求項５に記載の視覚処理装置。
【請求項１０】
入力された画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
前記出力信号を表示する表示部を備え、
前記出力信号作成部は、
前記処理信号と前記画像信号に応じて、ゲイン信号を出力する視覚処理部と、
前記ゲイン信号に基づいて前記画像信号を補正し出力信号として出力する補正部と、
を有することを特徴とする、
画像表示装置。
【請求項１１】
映像信号を受信する受信部と、
前記映像信号を復号し画像信号を出力する復号部と、
前記画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
前記出力信号を表示する表示部と、
を備え、
前記出力信号作成部は、
前記処理信号と前記画像信号に応じて、ゲイン信号を出力する視覚処理部と、
前記ゲイン信号に基づいて前記画像信号を補正し出力信号として出力する補正部と、
を有する、
テレビジョン。
【請求項１２】
映像信号を受信する受信部と、
前記映像信号を復号し画像信号を出力する復号部と、
前記画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
前記出力信号を表示する表示部と、
を備え、
前記出力信号作成部は、
前記処理信号と前記画像信号に応じて、ゲイン信号を出力する視覚処理部と、
前記ゲイン信号に基づいて前記画像信号を補正し出力信号として出力する補正部と、
を有する、
携帯情報端末。
【請求項１３】
画像を撮影して画像信号を作成する撮影部と、
前記画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
前記出力信号を表示する表示部と、
を備え、
前記出力信号作成部は、
前記処理信号と前記画像信号に応じて、ゲイン信号を出力する視覚処理部と、
前記ゲイン信号に基づいて前記画像信号を補正し出力信号として出力する補正部と、
を有する、
カメラ。
【請求項１４】
入力された画像信号に対して、対象画素の周囲の画素を用いた所定の空間処理を行い、処理信号を出力する空間処理ステップと、
前記処理信号と前記画像信号とを入力とし、
前記画像信号の値を所定のレベルに固定した場合に、前記処理信号の値に対して単調減少特性となる出力信号を出力する出力信号作成ステップと、
を含み、
前記出力信号作成ステップは、
前記処理信号と前記画像信号に応じて、ゲイン信号を出力する視覚処理ステップと、
前記ゲイン信号に基づいて前記画像信号を補正し出力信号として出力する補正ステップと、
を有する、
視覚処理方法。
【請求項１５】
画像出力装置に用いられる集積回路であって、
入力された画像信号に対して、対象画素の周囲の画素を用いた所定の空間処理を行い、処理信号を出力する空間処理ステップと、
前記処理信号と前記画像信号とを入力とし、
前記画像信号の値を所定のレベルに固定した場合に、前記処理信号の値に対して単調減少特性となる出力信号を出力する出力信号作成ステップと、
を実行し、
前記出力信号作成ステップは、
前記処理信号と前記画像信号に応じて、ゲイン信号を出力する視覚処理ステップと、
前記ゲイン信号に基づいて前記画像信号を補正し出力信号として出力する補正ステップと、
有する、
画像出力装置に用いられる集積回路。
【請求項１６】
コンピュータにより視覚処理を行う画像処理プログラムであって、
前記画像処理プログラムは、
入力された画像信号に対して、対象画素の周囲の画素を用いた所定の空間処理を行い、処理信号を出力する空間処理ステップと、
前記処理信号と前記画像信号とを入力とし、
前記画像信号の値を所定のレベルに固定した場合に、前記処理信号の値に対して単調減少特性となる出力信号を出力する出力信号作成ステップと、
を含む視覚処理方法をコンピュータに行わせるものであり、
前記出力信号作成ステップは、
前記処理信号と前記画像信号に応じて、ゲイン信号を出力する視覚処理ステップと、
前記ゲイン信号に基づいて前記画像信号を補正し出力信号として出力する補正ステップと、
を有する、
画像処理プログラム。